(57)【要約】【課題】景品獲得から景品が排出されるまでの間においても、遊技者を楽しませる。【解決手段】景品収納部１０内に設けられ、把持した景品１００を景品排出口１８ａ，１８ｂの上方から落下させる景品把持部１２，１３と、景品排出口１８ａ，１８ｂの一部を塞ぐように設けられた弾性ボール３１とを備える。【選択図】図１
2014033755.tif 000002
【特許請求の範囲】
【請求項１】
遊技者の操作に基づいて、景品収納部の底面に配置された景品を景品排出口から前記景品収納部外へ排出する景品獲得装置であって、
前記景品収納部内に設けられ、把持した前記景品を前記景品排出口の上方から落下させる景品把持部と、
前記景品排出口の一部を塞ぐように設けられた弾性部材と、
を備えたことを特徴とする景品獲得装置。
【請求項２】
前記景品収納部の底面において、複数のフロアパネルが組み替えられることにより前記景品排出口が形成され、
前記弾性部材は、
前記複数のフロアパネルのうち、１枚以上のフロアパネルの上部に配置されることにより、前記景品排出口の一部を塞ぐように設けられた
ことを特徴とする請求項１記載の景品獲得装置。
【請求項３】
前記弾性部材は、
前記複数のフロアパネルのうち、１枚以上のフロアパネルの上部に配置された収納容器に収納されることにより、前記景品排出口の一部を塞ぐように設けられた
ことを特徴とする請求項１又は２に記載の景品獲得装置。
【請求項４】
前記収納容器の下部に取り付けられ、前記配置されたフロアパネルの面積より小さく、かつ前記収納容器の下部の面積より大きい支持板を、
更に備えたことを特徴とする請求項３に記載の景品獲得装置。
【請求項５】
前記フロアパネルには、目盛りが設けられている
ことを特徴とする請求項１〜４のうちいずれか１項記載の景品獲得装置。
【請求項６】
前記フロアパネルは、
フレーム部と、
光透過性部材で形成された平板であり、前記フレーム部の上部に取り付けられた光透過パネルと、
少なくとも一方の面に目盛りが印字された平板であり、前記光透過パネルに接するように前記フレーム部に取り付けられた位置座標板と、を有している
ことを特徴とする請求項５記載の景品獲得装置。
【請求項７】
前記景品排出口の上方に設けられ、前記弾性部材を前記景品収納部の底面と略並行に移動させる弾性体移動手段と、
を更に備えたことを特徴とする請求項１記載の景品獲得装置。
【請求項８】
前記弾性体が球体である
ことを特徴とする請求項１〜７のいずれか１項記載の景品獲得装置。
【請求項９】
前記弾性体の側方から押圧することにより、前記弾性体の形状を変化させる変形手段を、
さらに備えたことを特徴とする請求項１〜８のいずれか１項記載の景品獲得装置。
【発明の詳細な説明】
【技術分野】
【０００１】
本発明は、遊技者の操作に基づいて、遊技空間内に配置された景品を景品排出口から排出する景品獲得装置に関する。
【背景技術】
【０００２】
昨今、ゲームセンター等の遊技施設には、例えば、特許文献１に記載されたようなクレーン遊技装置が設置されることが多い。
【０００３】
このような一般的なクレーン遊技装置は、三方を透明板で囲まれた景品収納部と、この景品収納部内に設けられた景品把持部と、この景品把持部を景品収納部内で所望位置に移動させるクレーン駆動機構と、景品収納部内に開口した景品排出口とを備えている。
【０００４】
この一般的なクレーン遊技装置において、遊技者は、操作部の操作釦を操作することにより獲得しようとする景品に対してクレーン駆動機構を動作させて景品把持部が目標とする景品の真上に到着したと思われるとき操作釦の操作を停止させる。
【０００５】
その後、景品把持部は自動的に降下し、ケース底部に到着し、景品把持部が閉じて降下位置の景品を把持すると景品獲得成功となる。
【０００６】
景品獲得後、景品把持部は景品を把持したまま上昇して景品排出口の上方に移動した後、景品把持部を開いて景品を景品排出口へ落とし、この景品排出口に連通された景品受取口から景品が払い出される。
【０００７】
また、特許文献２には、排出された景品が通路を経由して落下した際、排出口の下方の排出景品収納部に、衝撃を和らげる緩衝手段を備えた景品獲得ゲーム装置が提案されている。
【先行技術文献】
【特許文献】
【０００８】
【特許文献１】特開２０００−８４２３６号公報
【特許文献２】特開２００６−１２２５０９号公報
【発明の概要】
【発明が解決しようとする課題】
【０００９】
しかしながら、特許文献１に記載のクレーン遊技装置では、景品を景品排出口上から落下させるので、遊技者が見ることができる景品が移動する軌跡は、景品把持部に把持された位置から景品排出口までの間となり、非常に単調なもので、遊技者が景品を取得するまでの時間も非常に短くなる。このように、特許文献１に記載のクレーン遊技装置では、景品獲得成功から景品が払い出されるまでの間、何ら演出がなされていないので、遊技者は、味気無く感じ、もうすぐ景品を取得することができるという期待感を得ることが困難であった。
【００１０】
また、特許文献２に記載の景品獲得ゲーム装置では、排出口の下方の排出景品収納部に、衝撃を和らげる緩衝手段を設けているので、同様に、遊技者が見ることができる景品が移動する軌跡は、景品把持部に把持された位置から景品排出口までの間であり、非常に単調なものとなる。
【００１１】
本発明は、上記課題に鑑みてなされたものであり、景品獲得から景品が排出されるまでの間においても、遊技者を楽しませることができる景品獲得装置を提供することを目的とする。
【課題を解決するための手段】
【００１２】
上記目的を達成するため、本発明に係る景品獲得装置の第１の特徴は、遊技者の操作に基づいて、景品収納部の底面に配置された景品を景品排出口から前記景品収納部外へ排出する景品獲得装置であって、前記景品収納部内に設けられ、把持した前記景品を前記景品排出口の上方から落下させる景品把持部と、前記景品排出口の一部を塞ぐように設けられた弾性部材と、を備えたことにある。
【００１３】
上記目的を達成するため、本発明に係る景品獲得装置の第２の特徴は、前記景品収納部の底面において、複数のフロアパネルが組み替えられることにより前記景品排出口が形成され、前記弾性部材は、前記複数のフロアパネルのうち、１枚以上のフロアパネルの上部に配置されることにより、前記景品排出口の一部を塞ぐように設けられたことにある。
【００１４】
上記目的を達成するため、本発明に係る景品獲得装置の第３の特徴は、前記弾性部材は、前記複数のフロアパネルのうち、１枚以上のフロアパネルの上部に配置された収納容器に収納されることにより、前記景品排出口の一部を塞ぐように設けられたことにある。
【００１５】
上記目的を達成するため、本発明に係る景品獲得装置の第４の特徴は、前記収納容器の下部に取り付けられ、前記配置されたフロアパネルの面積より小さく、かつ前記収納容器の下部の面積より大きい支持板を、更に備えたことにある。
【００１６】
上記目的を達成するため、本発明に係る景品獲得装置の第５の特徴は、前記フロアパネルには、目盛りが設けられていることにある。
【００１７】
上記目的を達成するため、本発明に係る景品獲得装置の第６の特徴は、前記フロアパネルは、フレーム部と、光透過性部材で形成された平板であり、前記フレーム部の上部に取り付けられた光透過パネルと、少なくとも一方の面に目盛りが印字された平板であり、前記光透過パネルに接するように前記フレーム部に取り付けられた位置座標板と、を有していることにある。
【００１８】
上記目的を達成するため、本発明に係る景品獲得装置の第７の特徴は、前記景品排出口の上方に設けられ、前記弾性部材を前記景品収納部の底面と略並行に移動させる弾性体移動手段と、を更に備えたことにある。
【００１９】
上記目的を達成するため、本発明に係る景品獲得装置の第８の特徴は、前記弾性体が球体であることにある。
【００２０】
上記目的を達成するため、本発明に係る景品獲得装置の第９の特徴は、前記弾性体の側方から押圧することにより、前記弾性体の形状を変化させる変形手段を、さらに備えたことにある。
【発明の効果】
【００２１】
本発明に係る景品獲得装置によれば、景品獲得から景品が排出されるまでの間においても、遊技者を楽しませることができる。
【図面の簡単な説明】
【００２２】
【図１】本発明の実施例１である景品獲得装置の斜視図である。
【図２】本発明の実施例１である景品獲得装置のフロア部の平面図である。
【図３】本発明の実施例１である景品獲得装置のフロア部周辺の斜視図である。
【図４】本発明の実施例１である景品獲得装置のフロア部におけるフロアパネル３４の分解図である。
【図５】本発明の実施例１である景品獲得装置における景品獲得動作を説明した図である。（ａ）は、景品を落下したときの状態を示した図であり、（ｂ）は、景品が弾性ボールに衝突してバウンドした状態を示した図であり、（ｃ）は、バウンドした景品が着地又は落下した状態を示した図である。
【図６】本発明の実施例２である景品獲得装置のフロア部の平面図である。
【図７】本発明の実施例２である景品獲得装置が備える収納容器の斜視図である。
【図８】本発明の実施例３である景品獲得装置が備える変形部を説明した図である。
【図９】本発明の実施例４である景品獲得装置のフロア部の平面図である。
【発明を実施するための形態】
【００２３】
以下、本発明を実施するための形態について図面を参照して説明する。
【実施例１】
【００２４】
本発明の実施例１では、遊技者の操作に基づいて、景品収納部に配置された景品を、景品排出口から景品収納部外へ排出する景品獲得装置を例に挙げて説明する。
【００２５】
図１は、本発明の実施例１である景品獲得装置の斜視図である。
【００２６】
図１に示すように、景品獲得装置１は、三方を透明板で囲まれた景品収納部１０と、この景品収納部１０内に設けられた景品把持部１２，１３と、この景品把持部１２，１３を景品収納部１０内で所望位置に移動させるクレーン機構１４と、景品収納部１０内の底面に備えられたフロア部１８とを備えている。
【００２７】
このフロア部１８は、複数のフロアパネルの組み替え式が採用されており、この複数のフロアパネルを組み替えることで、任意の場所に景品排出口１８ａ，１８ｂを備えるようにすることができ、この景品排出口１８ａ，１８ｂ以外のフロア部１８上に景品１００を配置することができる。
【００２８】
また、球形状の弾性体である弾性ボール３１が、複数のフロアパネルのうち、１枚以上のフロアパネルの上部に配置されることにより、景品排出口１８ａ，１８ｂの一部を塞ぐように設けられている。この弾性ボール３１については、後述する。
【００２９】
景品収納部１０の下方には、景品獲得装置１内部の景品排出口１８ａ，１８ｂからそれぞれ連通する景品受取口１９ａ，１９ｂと、操作釦やコイン投入口等を有する操作部２０とが設けられている。
【００３０】
クレーン機構１４は、景品把持部１２，１３を吊り下げ支持すると共に、遊技者による操作部２０の操作により、景品把持部１２，１３を景品収納部１０内で前後方向（Ｙ１，Ｙ２方向）及び左右方向（Ｘ１，Ｘ２方向）の２方向に移動させる。
【００３１】
景品把持部１２は、上下方向（Ｚ１，Ｚ２方向）に移動されるキャッチャー１２ａと、このキャッチャー１２ａに支持されたアーム１２ｂとを備えており、このアーム１２ｂがキャッチャー１２ａによって稼働されることにより、アーム１２ｂの先端部で景品１００を把持する。
【００３２】
なお、景品獲得装置１は、図１に示すように、正面に向かって左右対称の構成を有しているので、以下、景品獲得装置１の左側部分について説明する。
【００３３】
景品獲得装置１において、遊技者は、操作部２０の操作釦を操作することにより獲得しようとする景品１００に対してクレーン機構１４を動作させて景品把持部１２が目標とする景品の真上に到着したと思われるとき操作釦の操作を停止させる。
【００３４】
その後、景品把持部１２は自動的に降下し、この景品把持部１２がフロア部１８に達すると景品把持部１２のアーム１２ｂが閉じて降下位置の景品１００を把持する。
【００３５】
そして、景品把持部１２は景品１００を把持したまま上昇して弾性ボール３１の上方に移動した後、景品把持部１２のアーム１２ｂを開いて景品１００を下方へ落下させる。落下された景品１００は、弾性ボール３１でバウンドする。弾性ボール３１でバウンドした景品１００は、景品排出口１８ａへ落ちるか、又はフロアパネル上に着地する。フロアパネル上に着地した場合、景品獲得失敗となるが、景品１００が景品排出口１８ａに落とされた場合、この景品排出口１８ａに連通された景品受取口１９ａから払い出され、景品獲得成功となる。
【００３６】
図２は、本発明の実施例１である景品獲得装置１のフロア部１８の平面図である。
【００３７】
図２に示すように、フロア部１８は、全１８枚のフロアパネルの組み替えが可能な構成であり、１８枚のフロアパネルのうち、前列左側（Ｘ２方向）から、１、３、４、６枚目のフロアパネルが外されることで、景品排出口１８ａ，１８ｂが備えられている。景品排出口１８ａ，１８ｂ以外のフロア部１８、即ちフロアパネル上には景品１００が配置されている。
【００３８】
また、１８枚のフロアパネルのうち、紙面の前列左側から、２、５枚目のフロアパネル上には、収納容器３２に収納された弾性ボール３１が配置されている。
【００３９】
このように、前列の全て（前列左側（Ｘ２方向）から、１〜６枚目）のフロアパネルが外された場合には、前列左側（Ｘ２方向）から１〜３枚目のフロアパネルが配置される領域が景品排出口１８ａとなり、紙面の前列左側から４〜６枚目のフロアパネルが配置される領域が景品排出口１８ｂとなるが、紙面の前列左側（Ｘ２方向）から２、５枚目のフロアパネルが配置され、その上に収納容器３２に収納された弾性ボール３１が配置されることにより、前列の全てのフロアパネルが外された場合に比較して、景品排出口１８ａ，１８ｂの一部を塞いでいることになる。
【００４０】
図３は、本発明の実施例１である景品獲得装置１のフロア部１８周辺の斜視図である。
【００４１】
図３に示すように、弾性ボール３１は、球形状を有する弾性体であり、この弾性ボール３１が転がらないように、収納容器３２に収納されている。
【００４２】
収納容器３２の下部には、配置されたフロアパネル３４の面積より小さく、かつ収納容器３２の下部の面積より大きい矩形の支持板３３が固定されている。これにより、支持板３３が固定された収納容器３２を、フロアパネル３４上でスライド移動させることができる。
【００４３】
また、フロアパネル３４上には、目盛りが設けられているので、支持板３３が固定された収納容器３２を、この目盛りに沿ってより正確にフロアパネル３４上でスライド移動させることができる。
【００４４】
図４は、本発明の実施例１である景品獲得装置１のフロア部１８におけるフロアパネル３４の分解図である。
【００４５】
図４に示すように、支持板３３が固定された収納容器３２に、弾性ボール３１が上方から載置されることにより収納されている。
【００４６】
フロアパネル３４は、フロア部１８を形成する骨組みとなるフレーム部４１と、光透過性部材で形成された平板であり、フレーム部４１の上部に取り付けられた光透過パネル４５と、一方の面は鏡面加工され、他方の面は格子状の目盛りが印字された平板であり、光透過パネル４５に接触するようにフレーム部４１に取り付けられた位置座標板４３とを備えている。
【００４７】
位置座標板４３を、目盛りが印字された面を上面となるようにフレーム部４１の上部に取り付けることにより、ユーザ（景品獲得装置１を運営している運営者など）は、その上部に取り付けられた光透過パネル４５を透過して上方から目盛りを視認することができる。
【００４８】
そのため、上述したように、支持板３３が固定された収納容器３２を、この目盛りに沿ってより正確にフロアパネル３４上でスライド移動させることにより、弾性ボール３１が収納された収納容器３２の位置決めを行うことができる。
【００４９】
ただし、遊技者に目盛りが見えると、デザイン性が低下すると共に、遊技者は位置の調整度合いを把握できてしまい、ゲーム性が低下する場合も考えられる。
【００５０】
そこで、ユーザは、弾性ボール３１が収納された収納容器３２の位置決めを行った後、光透過パネル４５上に収納容器３２を乗せた状態で持ち上げ、位置座標板４３の表裏を反転させて、鏡面加工された面が上面となるように、フレーム部４１の上部に取り付ける。これにより、遊技者には、鏡面加工された面が見えることになるので、デザイン性やゲーム性が低下することを防止することができる。
【００５１】
なお、本発明の実施例１では、一方の面は鏡面加工された光透過パネル４５に接触するようにフレーム部４１に取り付けられた位置座標板４３を備えた景品獲得装置１を例に挙げて説明したが、鏡面加工に限らず、景品や景色の絵等が描画されていてもよい。さらに、目盛りは格子状に限らず、多数の同心円を目盛りとして印字されていてもよい。即ち、片面に位置合わせが可能な目盛りが印字されていればよい。
【００５２】
＜景品獲得動作＞
次に、本発明の実施例１である景品獲得装置１における景品獲得動作について説明する。
【００５３】
図５は、本発明の実施例１である景品獲得装置１における景品獲得動作を説明した図である。（ａ）は、景品を落下したときの状態を示した図であり、（ｂ）は、景品が弾性ボールに衝突してバウンドした状態を示した図であり、（ｃ）は、バウンドした景品が着地又は落下した状態を示した図である。
【００５４】
図５（ａ）に示すように、景品把持部１２は、景品１００を把持したまま上昇して弾性ボール３１の上方に移動した後、景品把持部１２のアーム１２ｂを開いて景品１００を下方へ落下させる。
【００５５】
そして、図５（ｂ）に示すように、落下された景品１００は、弾性ボール３１に衝突し、バウンドする。弾性ボール３１は球形状を有しているので、景品１００が弾性ボール３１のどの箇所に衝突するかによって、バウンドする方向が異なることになる。
【００５６】
具体的には、図５（ｃ）に示すように、弾性ボール３１でバウンドした景品１００は、１０１の軌跡により景品排出口１８ａへ落ちる場合もあり、また、１０２の軌跡によりフロアパネル上へ着地する場合もある。
【００５７】
フロアパネル上に着地した場合、景品獲得失敗となるが、景品１００が景品排出口１８ａに落とされた場合、この景品排出口１８ａに連通された景品受取口１９ａから払い出され、景品獲得成功となる。
【００５８】
以上のように、本発明の実施例１である景品獲得装置１によれば、景品収納部１０内に設けられ、把持した景品１００を景品排出口１８ａ，１８ｂの上方から落下させる景品把持部１２，１３と、景品排出口１８ａ，１８ｂの一部を塞ぐように設けられた弾性ボール３１とを備えるので、景品１００が弾性ボール３１のどの箇所に衝突するかによって、バウンドする方向が異なり、どの方向にバウンドするか遊技者は予想し難いので、景品獲得から景品が排出されるまでの間においても、遊技者を楽しませることができる。
【００５９】
なお、本発明の実施例１では、景品排出口１８ａ，１８ｂの一部を塞ぐように設けられた球形状を有する弾性ボール３１を備えた景品獲得装置１を例に挙げて説明したが、これに限らない。球形状に限らず、６面体や１２面体などの多面体でもよい。さらに、平板でもよいし、矩形や円の枠に伸縮性のある布を張り渡して弾性力のあるゴム等で固定したトランポリン状のものでもよい。即ち、落下した景品１００が接触したときに、景品１００をバウンドさせる弾性力を有するものであればよい。
【実施例２】
【００６０】
本発明の実施例１では、複数のフロアパネルのうち、１枚以上のフロアパネルの上部に配置された収納容器３２に収納されることにより、景品排出口１８ａ，１８ｂの一部を塞ぐように設けられた弾性ボール３１を備えた景品獲得装置１を例に挙げて説明した。
【００６１】
本発明の実施例２では、景品排出口１８ａ，１８ｂの上方に設けられ、弾性ボール３１を景品収納部１０の底面と略並行に移動させる移動部を備えた景品獲得装置１Ａを例に挙げて説明する。
【００６２】
図６は、本発明の実施例２である景品獲得装置１のフロア部１８Ａの平面図である。
【００６３】
図６に示すように、フロア部１８Ａは、全２４枚のフロアパネルの組み替えが可能な構成であり、２４枚のフロアパネルのうち、景品獲得装置１の右側部分、左側部分それぞれについて、最後列の全てのフロアパネルと、左側（Ｘ２方向）から２枚目であり、前方（Ｙ１方向）から２枚目であるフロアパネル（以下、センターパネル１８１，１８２という）が配置されることで、センターパネル１８１，１８２を囲むように、景品排出口１８ａ，１８ｂが備えられている。なお、最後列のフロアパネル上には、景品１００が配置されている。
【００６４】
景品獲得装置１の左側部分には、景品排出口１８ａの上方にセンターパネル１８１を囲むように、コンベアベルト５１が移動部として設けられている。
【００６５】
コンベアベルト５１は、フロア部１８Ａと並行になるように設けられており、図示しない駆動部の駆動により、コンベアベルト５１上に載置された、弾性ボール３１が収納された収納容器３２をＦ１方向に搬送する。なお、コンベアベルト５１は、景品把持部１２が、景品１００を落下させる地点であるＰ１地点を通過するように、景品収納部１０内に配置されている。
【００６６】
これにより、遊技者にとってよりゲーム性が高まり、飽き難いと感じることになる。
【００６７】
具体的には、景品把持部１２は、景品１００を把持したまま上昇してＰ１地点に移動した後、景品把持部１２のアーム１２ｂを開いて景品１００を下方へ落下させる。
【００６８】
そうすると、Ｐ１地点へ落下された景品１００は、弾性ボール３１に衝突する。ここで、収納容器３２がＦ１方向に搬送されるので、図６に示した例では、弾性ボール３１の中心の位置である中心位置Ｑ１は、地点Ｐ１に対してＸ２方向にずれている。
【００６９】
そのため、Ｐ１地点に衝突した景品１００は、Ｘ１方向にバウンドする確率が高く、Ｘ１方向にバウンドしてコンベアベルト５１上に着地すると、景品獲得失敗となる。また、景品１００は、円筒形状を有しているので、弾性ボール３１への衝突の角度によっては、Ｙ２方向へバウンドする場合もある。Ｙ２方向へバウンドし、センターパネル１８１上に着地すると、同様に景品獲得失敗となる。
【００７０】
一方、弾性ボール３１へ衝突してバウンドした景品１００が景品排出口１８ａに落とされた場合、この景品排出口１８ａに連通された景品受取口１９ａから払い出され、景品獲得成功となる。
【００７１】
このように、本発明の実施例２である景品獲得装置１では、景品排出口１８ａの上方に設けられ、弾性ボール３１を景品収納部１０の底面と略並行に移動させるコンベアベルト５１を備えているので、操作部２０の操作釦を操作することにより景品把持部１２に景品１００を把持させるタイミングや、景品１００の形状等により、景品１００を獲得できるか否かが異なることになる。
【００７２】
そのため、遊技者にとってよりゲーム性が高まり、飽き難いと感じることになる。
【００７３】
また、景品獲得装置１の右側部分には、景品排出口１８ｂの上方にセンターパネル１８２を囲むように、ガイドレール５２が移動部として設けられている。
【００７４】
ガイドレール５２は、フロア部１８Ａと並行になるように設けられており、収納容器３２Ａは、図示しない収納容器３２Ａの駆動部の駆動により、ガイドレール５２に沿ってＦ２方向に搬送する。なお、ガイドレール５２は、景品把持部１３が、景品１００を落下させる地点であるＰ２地点を通過するように、景品収納部１０内に配置されている。
【００７５】
図７は、本発明の実施例２である景品獲得装置１が備える収納容器３２Ａの斜視図である。
【００７６】
図７に示すように、収納容器３２Ａには、弾性ボール３１が収納されている。収納容器３２Ａは、図示しない駆動機構の駆動により回転するガイドローラ５４と、ガイドローラ５４を軸支するローラホルダ５３とを備えている。
【００７７】
そして、駆動機構の駆動によりガイドローラ５４が回転することにより、収納容器３２Ａは、ガイドレール５２に沿ってＦ２方向に移動する。
【００７８】
さらに、図示しないが、収納容器３２Ａは、弾性ボール３１を昇降する機構を有するようにしてもよい。これにより、景品把持部１３のアーム１３ｂを開いて景品１００を下方へ落下させる位置から、弾性ボール３１までの距離を調整することができるので、遊技者にとってよりゲーム性が高まり、飽き難いと感じることになる。
【００７９】
図６に戻り、景品把持部１３は、景品１００を把持したまま上昇してＰ２地点に移動した後、景品把持部１３のアーム１３ｂを開いて景品１００を下方へ落下させる。
【００８０】
そうすると、Ｐ２地点へ落下された景品１００は、弾性ボール３１に衝突する。ここで、図６に示した例では、弾性ボール３１の中心の位置である中心位置Ｑ２は、地点Ｐ２と一致する。
【００８１】
そのため、Ｐ１地点に衝突した景品１００は、上方向（Ｚ２方向）にバウンドするか、又は前後左右（Ｘ１，Ｘ２，Ｙ１，Ｙ２）方向の全ての方向にバウンドする可能性がある。
【００８２】
もし、Ｙ２方向へバウンドし、センターパネル１８２上に着地すると、景品獲得失敗となる。
【００８３】
一方、Ｘ１、Ｘ２、Ｙ１方向にバウンドして景品排出口１８ａに落とされた場合、この景品排出口１８ａに連通された景品受取口１９ａから払い出され、景品獲得成功となる。
【００８４】
このように、本発明の実施例２である景品獲得装置１では、景品排出口１８ａの上方に設けられ、弾性ボール３１を景品収納部１０の底面と略並行に移動させるガイドレール５２を備えているので、操作部２０の操作釦を操作することにより景品把持部１２に景品１００を把持させるタイミングや、景品１００の形状等により、景品１００を獲得できるか否かが異なることになる。
【００８５】
そのため、遊技者にとってよりゲーム性が高まり、飽き難いと感じることになる。
【実施例３】
【００８６】
本発明の実施例１では、収納容器３２に収納されることにより、景品排出口１８ａ，１８ｂの一部を塞ぐように設けられた弾性ボール３１を備えた景品獲得装置１を例に挙げて説明した。
【００８７】
本発明の実施例３では、弾性ボール３１の側方から押圧することにより、弾性ボール３１の形状を変化させる変形部を備えた景品獲得装置１Ｂを例に挙げて説明する。
【００８８】
図８は、本発明の実施例３である景品獲得装置１Ｂが備える変形部を説明した図である。
【００８９】
図８（ａ）に示すように、本発明の実施例３である景品獲得装置１Ｂの収納容器３２Ｂには、弾性ボール３１の側方から押圧することにより、弾性ボール３１の形状を変化させる変形部３６が取り付けられている。
【００９０】
変形部３６は、収納容器３２Ｂの外壁に取り付けられた固定部３６ａと、固定部３６ａに接続され、固定部３６ａとの距離を調整する、即ちＦ３又はＦ４方向に移動する移動部３６ｂとを備えている。
【００９１】
図８（ａ）に示した図では、移動部３６ｂは弾性ボール３１に対して押圧しておらず、収納容器３２Ｂの内壁に接触した基準位置状態を示している。
【００９２】
この基準位置状態では、弾性ボール３１の中心の位置である中心位置Ｑ３は、前後方向（Ｙ１Ｙ２方向）に距離ａ１で等しい位置となる。
【００９３】
それに対して、図８（ｂ）に示した図では、移動部３６ｂは弾性ボール３１に対して押圧し変形位置状態を示している。
【００９４】
ユーザの手動操作などにより、移動部３６ｂがＦ３方向に移動すると、弾性ボール３１は移動部３６ｂに押圧され変形し、弾性ボール３１の中心位置Ｑ３が、中心位置Ｑ４に移動、即ち、中心位置が距離ｃ１だけ前方（Ｙ１方向）に移動する。
【００９５】
これにより、落下された景品１００は、弾性ボール３１に接触して、Ｙ２方向へバウンドする可能性が高くなるので、変形部３６により弾性ボール３１を変形させることにより、ゲームの難易度を調整することができる。
【００９６】
そのため、遊技者にとってよりゲーム性が高まり、飽き難いと感じることになる。
【実施例４】
【００９７】
本発明の実施例１では、複数のフロアパネルのうち、１枚以上のフロアパネルの上部に配置された収納容器３２に収納されることにより、景品排出口１８ａ，１８ｂの一部を塞ぐように設けられた弾性ボール３１を備えた景品獲得装置１を例に挙げて説明した。
【００９８】
本発明の実施例４では、フロアパネルの上部に配置されることなく、紐状部材にて接続されることにより、景品排出口１８ａ，１８ｂの一部を塞ぐように設けられた弾性ボール３１を備えた景品獲得装置１Ｃを例に挙げて説明する。
【００９９】
図９は、本発明の実施例４である景品獲得装置１Ｃのフロア部１８Ｃの平面図である。
【０１００】
図９に示すように、フロア部１８Ｃは、全２４枚のフロアパネルの組み替えが可能な構成であり、２４枚のフロアパネルのうち、景品獲得装置１の右側部分、左側部分それぞれについて、最後列の全てのフロアパネルと、左側（Ｘ２方向）から２枚目であり、前方（Ｙ１方向）から２枚目であるフロアパネル（以下、センターパネル１８１，１８２という）が配置されることで、センターパネル１８１，１８２を囲むように、景品排出口１８ａ，１８ｂが備えられている。なお、最後列のフロアパネル上には、景品１００が配置されている。
【０１０１】
景品獲得装置１Ｃの左側部分には、景品排出口１８ａの上方にセンターパネル１８１を囲むように、紐状部材５７に接続されることにより、景品排出口１８ａの一部を塞ぐように設けられている。
【０１０２】
具体的には、紐状部材５７と景品収納部１０の壁面とを紐状部材５７にて接続したり、紐状部材５７とセンターパネル１８１とを紐状部材５７にて接続したり、紐状部材５７同士を紐状部材５７にて接続したりすることにより、景品排出口１８ａの一部を塞ぐように設けられている。
【０１０３】
景品把持部１２は、景品１００を把持したまま上昇してＰ１地点に移動した後、景品把持部１２のアーム１２ｂを開いて景品１００を下方へ落下させる。
【０１０４】
そうすると、Ｐ１地点へ落下された景品１００は、弾性ボール３１に衝突する。ここで、図９に示した例では、弾性ボール３１の中心の位置である中心位置Ｑ１は、地点Ｐ１と一致する。
【０１０５】
そのため、Ｐ１地点に衝突した景品１００は、上方向（Ｚ２方向）にバウンドするか、又は前後左右（Ｘ１，Ｘ２，Ｙ１，Ｙ２）方向の全ての方向にバウンドする可能性がある。
【０１０６】
もし、Ｙ２方向へバウンドし、センターパネル１８１上に着地すると、景品獲得失敗となる。
【０１０７】
一方、Ｘ１、Ｘ２、Ｙ１方向にバウンドして景品排出口１８ａに落とされた場合、この景品排出口１８ａに連通された景品受取口１９ａから払い出され、景品獲得成功となる。
【０１０８】
また、Ｘ２方向にバウンドした場合でも、さらにＸ２方向に隣接して紐状部材５７により接続された弾性ボール３１に衝突し、センターパネル１８１方向（Ｘ１Ｙ２方向）へバウンドしセンターパネル１８１上に着地すると、景品獲得失敗となる。
【０１０９】
このように、本発明の実施例４である景品獲得装置１Ｃでは、紐状部材にて接続されることにより、景品排出口１８ａ，１８ｂの一部を塞ぐように設けられた弾性ボール３１を備えているので、景品獲得から景品が排出されるまでの間においても、より遊技者を楽しませることができる。
【０１１０】
なお、景品獲得装置１Ｃの右側部分は、左側部分と同一の構成としてもよいし、図９に示すように、一部の弾性ボール３１を外して設けても良い。
【０１１１】
この場合、弾性ボール３１が少ない分、景品１００が衝突する確率が低くなり、景品排出口１８ａ，１８ｂへ落下する確率が高くなるので、この紐状部材５７により接続される弾性ボール３１の数を調整することにより難易度を調整することができる。
【０１１２】
そのため、遊技者にとってよりゲーム性が高まり、飽き難いと感じることになる。
【符号の説明】
【０１１３】
１，１Ａ，１Ｂ，１Ｃ…景品獲得装置
１０…景品収納部
１２，１３…景品把持部
１４…クレーン機構
１８，１８Ａ，１８Ｃ…フロア部
１８ａ，１８ｂ…景品排出口
１９ａ，１９ｂ…景品受取口
２０…操作部
３１…弾性ボール
３２，３２Ａ，３２Ｂ…収納容器
３３…支持板
３４…フロアパネル
３６…変形部
３６ａ…固定部
３６ｂ…移動部
４１…フレーム部
４３…位置座標板
４５…光透過パネル
５１…コンベアベルト
５２…ガイドレール
５３…ローラホルダ
５４…ガイドローラ
５７…紐状部材
１００…景品
１８１，１８２…センターパネル
【図１】
2014033755.tif 000003
【図２】
2014033755.tif 000004
【図３】
2014033755.tif 000005
【図４】
2014033755.tif 000006
【図５】
2014033755.tif 000007
【図６】
2014033755.tif 000008
【図７】
2014033755.tif 000009
【図８】
2014033755.tif 000010
【図９】
2014033755.tif 000011